(57)【要約】【課題】レンズ鏡胴の指標環に内側の鏡胴本体まで貫通する孔を形成し、その孔に駆動ユニットの筐体に突設された当接部を嵌入して当接部を鏡胴本体に当接させた状態でネジ止めによって固定することによって、レンズ鏡胴に設置される駆動ユニットの設置位置の精度の向上を図るレンズ装置を提供する。【解決手段】レンズ鏡胴１２の外周部に固定される指標環３０に孔３０Ａを形成し、駆動ユニットの筐体４０に突設された当接部９４をその孔３０Ａに嵌入させ、指標環３０の内側の鏡胴本体１００の外周面に当接させる。そして、筐体４０のネジ挿通孔５２にネジ５５を挿通して鏡胴本体１００のネジ穴１００にネジ５５を締め込み、筐体４０を駆動ユニット１２の指標環３０の位置で固定する。【選択図】図４
2011107270.tif 000002
【特許請求の範囲】
【請求項１】
被写体像を結像する光学系の構成部材を有するレンズ鏡胴とレンズ鏡胴に設置される駆動ユニットとを備え、
前記レンズ鏡胴は、前記レンズ鏡胴の各種構成部材を支持する鏡胴本体と、前記鏡胴本体の外周部に回動可能に支持された操作リングと、前記鏡胴本体の外周部に固定された前記鏡胴本体と別体の環状の固定環と、を備え、
前記駆動ユニットは、前記駆動ユニットの各種構成部材を支持する筐体と、前記筐体内に支持されたモータと、前記モータを前記操作リングに連結するギアと、を備え、
前記レンズ鏡胴の固定環の位置において前記駆動ユニットの筐体に形成された当接部が前記レンズ鏡胴の構成部材に当接した状態でネジ止めされることにより、前記レンズ鏡胴に前記駆動ユニットが設置されるレンズ装置において、
前記固定環には、前記筐体の当接部に対向する位置に外周面から内側の前記鏡胴本体まで貫通する孔が形成され、  
前記筐体の当接部は、前記固定環の孔に嵌入すると共に、前記固定環の内側の前記鏡胴本体に当接する位置まで突設形成された、
ことを特徴とするレンズ装置。
【請求項２】
前記筐体の当接部は、前記固定環の周方向の複数の位置に形成されると共に、前記固定環の孔が、該複数の当接部に対向した複数の位置に形成され、該複数の当接部のうち、一部の当接部が前記鏡胴本体にネジ止めされることを特徴とする請求項１のレンズ装置。
【請求項３】
前記レンズ鏡胴の固定環は、変倍用のレンズを駆動する操作リングと前記絞りを駆動する操作リングの間に配置され、絞り値に関する目盛りの指標が記された指標環であることを特徴とする請求項１、又は、２のレンズ装置。
【請求項４】
前記レンズ鏡胴の鏡胴本体、及び、前記駆動ユニットの筐体は、金属で形成され、前記レンズ鏡胴の固定環は、合成樹脂で形成されたことを特徴とする請求項１、２、又は、３のレンズ装置。
【請求項５】
前記レンズ鏡胴は、前記レンズ鏡胴の外周部において前記合成樹脂の固定環と異なる位置に前記鏡胴本体と金属で一体形成された固定環を有し、前記筐体は、該金属の固定環に当接した状態で該金属の固定環の位置にネジ止めされる当接部を有することを特徴とする請求項４のレンズ装置。
【発明の詳細な説明】
【技術分野】
【０００１】
本発明はレンズ装置に係り、特にレンズ鏡胴の側部に駆動ユニットが設置されるレンズ装置に関する。
【背景技術】
【０００２】
放送用又は業務用等のテレビカメラは、撮像素子や映像処理回路等を搭載したカメラ本体と、撮像素子の撮像面に被写体像を結像する光学系を備えたレンズ装置とを備えている。取材等で使用される携帯用のテレビカメラのレンズ装置は、一般に、レンズ鏡胴と、レンズ鏡胴の側部に設置される駆動ユニット（ドライブユニット）とを有している（例えば、特許文献１、２参照）。
【０００３】
レンズ鏡胴は、光学系を構成する各種レンズ等を内部に保持しており、その後端部には、カメラ本体に対して例えばバヨネット方式により着脱可能に装着されるマウントが設けられ、レンズ鏡胴の外周部（レンズ鏡胴の各種構成部材を支持する鏡胴本体の外周部）には、内部に保持したフォーカス用のレンズ（フォーカスレンズ群）、ズーム用のレンズ（変倍レンズ群）、絞り等にメカ的に連結されてそれらを駆動するための操作リングが回動可能に設けられている。尚、本明細書では、フォーカスレンズ群、変倍レンズ群、絞りの各々を駆動するための操作リングをフォーカスリング、ズームリング、アイリスリングというものとする。
【０００４】
レンズ鏡胴の側部に設置される駆動ユニットは、操作リングを電動で回動させるためのモータや操作リングの位置を検出するポテンショメータ等を筐体内部に備え、モータとポテンショメータを操作リングに連結するギアや、モータ制御等を行う回路部品を備えている。また、筐体外面に、撮影者がテレビカメラを保持する際に手で把持するグリップ部や、各種操作部材を備えている。駆動ユニットのモータは、筐体外面に設けられた操作部材の操作や、外部から入力される信号に従って駆動制御され、モータの駆動と共にそのモータに連結された操作リングが回動するようになっている。
【０００５】
ところで、操作リングは、一般にレンズ鏡胴の前方側（対物側）からフォーカスリング、ズームリング、アイリスリングの順に配置されており、上記駆動ユニットは、フォーカスリングとズームリングの間の第１固定環の位置と、ズームリングとアイリスリングの間の第２固定環の位置でネジ止めされてレンズ鏡胴の側部に固定されている。第１及び第２固定環は、鏡胴本体に対して固定されている部分であり、特に第２固定環は、環状の部材が鏡胴本体の外周部に嵌め込まれて鏡胴本体の外周部に固定されたものであり、アイリスリングに記された絞り値の目盛り（数値）に対して、現在のアイリスリングの回転位置での絞り値を指し示す指標（指標バー）が記されている。
【０００６】
駆動ユニットの筐体には、第１固定環及び第２固定環の各々に当接する当接部が形成されており、当接部が第１固定環及び第２固定環の外周面に当接した状態でネジ止めされて駆動ユニットがレンズ鏡胴の側部に固定されている。
【先行技術文献】
【特許文献】
【０００７】
【特許文献１】特許第２７７３２３０号
【特許文献２】特開２０００−２７５５０７号公報
【発明の概要】
【発明が解決しようとする課題】
【０００８】
しかしながら従来、上記のようにレンズ鏡胴の第２固定環が、鏡胴本体に対して別体の部材であり、鏡胴本体と駆動ユニットの筐体の当接部との間に他の部材（第２固定環）が介在するため、鏡胴本体に対する駆動ユニットの設置位置の精度を高くすることができないという問題があった。特に鏡胴本体や駆動ユニットの筐体等は金属（例えばアルミニウム）で形成されるのに対して、第２固定環はプラスチック（合成樹脂）で形成される場合があり、その場合にはプラスチックの成形精度が高くないことや、変形しやすいことから、駆動ユニットの設置位置の精度がより低減する。
【０００９】
一方、駆動ユニットの筐体には、操作リングの外周部に形成されたギア歯に噛合するギアが設けられ、そのギアを介して、操作リングと筐体内部のモータやポテンショメータが連結されるようになっている。上記のように駆動ユニットの設置位置の精度が低いと、操作リングのギア歯とギアの噛み合い具合（バックラッシュ）が適切でない場合が生じ、ギアの破損、音の発生、ポテンショメータによる検出精度の低下等の不具合を招くという問題がある。
【００１０】
本発明はこのような事情に鑑みてなされたもので、レンズ鏡胴への駆動ユニットの設置位置の精度の向上を図るレンズ装置を提供することを目的とする。
【課題を解決するための手段】
【００１１】
前記目的を達成するために、請求項１に係るレンズ装置は、被写体像を結像する光学系の構成部材を有するレンズ鏡胴とレンズ鏡胴に設置される駆動ユニットとを備え、前記レンズ鏡胴は、前記レンズ鏡胴の各種構成部材を支持する鏡胴本体と、前記鏡胴本体の外周部に回動可能に支持された操作リングと、前記鏡胴本体の外周部に固定された前記鏡胴本体と別体の環状の固定環と、を備え、前記駆動ユニットは、前記駆動ユニットの各種構成部材を支持する筐体と、前記筐体内に支持されたモータと、前記モータを前記操作リングに連結するギアと、を備え、前記レンズ鏡胴の固定環の位置において前記駆動ユニットの筐体に形成された当接部が前記レンズ鏡胴の構成部材に当接した状態でネジ止めされることにより、前記レンズ鏡胴に前記駆動ユニットが設置されるレンズ装置において、前記固定環には、前記筐体の当接部に対向する位置に外周面から内側の前記鏡胴本体まで貫通する孔が形成され、前記筐体の当接部は、前記固定環の孔に嵌入すると共に、前記固定環の内側の前記鏡胴本体に当接する位置まで突設形成された、ことを特徴としている。
【００１２】
本発明によれば、駆動ユニットの筐体の当接部が鏡胴本体とは別体の固定環を介することなく鏡胴本体に直接当接して鏡胴本体に固定されるため、鏡胴本体に対する駆動ユニットの設置位置の精度が向上する。
【００１３】
請求項２に係るレンズ装置は、請求項１に係る発明において、前記筐体の当接部は、前記固定環の周方向の複数の位置に形成されると共に、前記固定環の孔が、該複数の当接部に対向した複数の位置に形成され、該複数の当接部のうち、一部の当接部が前記鏡胴本体にネジ止めされることを特徴としている。
【００１４】
本発明は、駆動ユニットの複数の当接部を固定環に形成された複数の孔に陥入させて鏡胴本体に当接させることにより駆動ユニットの位置精度をより向上させた態様である。
【００１５】
請求項３に係るレンズ装置は、請求項１、又は、２に係る発明において、前記レンズ鏡胴の固定環は、変倍用のレンズを駆動する操作リングと前記絞りを駆動する操作リングの間に配置され、絞り値に関する目盛りの指標が記された指標環であることを特徴としている。
【００１６】
本発明は、絞り値に関する目盛りの指標が記された指標環の位置で駆動ユニットの筐体の当接部が固定される態様を示す。
【００１７】
請求項４に係るレンズ装置は、請求項１、２、又は、３に係る発明において、前記レンズ鏡胴の鏡胴本体、及び、前記駆動ユニットの筐体は、金属で形成され、前記レンズ鏡胴の固定環は、合成樹脂で形成されたことを特徴としている。
【００１８】
本発明は、固定環が合成樹脂で形成されている態様を示し、このような場合には、特に、請求項１等のように駆動ユニットの筐体の当接部を鏡胴本体に直設当接させて固定すると、駆動ユニットの設置位置の精度の向上を図ることができる。
【００１９】
請求項５に係るレンズ装置は、請求項４に係る発明において、前記レンズ鏡胴は、前記レンズ鏡胴の外周部において前記合成樹脂の固定環と異なる位置に前記鏡胴本体と金属で一体形成された固定環を有し、前記筐体は、該金属の固定環に当接した状態で該金属の固定環の位置にネジ止めされる当接部を有することを特徴としている。
【００２０】
本発明は、駆動ユニットの筐体の当接部を合成樹脂の固定環以外に鏡胴本体と金属で一体形成された固定環に当接させて固定する態様を示す。即ち、レンズ鏡胴の外周部に鏡胴本体と金属で一体形成された固定環が存在する場合には合成樹脂の固定環の位置以外にその金属の固定環の位置に駆動ユニットの鏡胴の当接部を当接して固定することが望ましい。
【発明の効果】
【００２１】
本発明によれば、レンズ鏡胴への駆動ユニットの設置位置の精度の向上を図ることができる。
【図面の簡単な説明】
【００２２】
【図１】本発明が適用されたレンズ装置の全体を示した斜視図。
【図２】駆動ユニットの筐体（第１枠）においてレンズ鏡胴に設置される側の面に構成される設置部の構造を、駆動ユニットをレンズ鏡胴から取り外した状態で示した斜視図。
【図３】駆動ユニットを取り外した状態でのレンズ鏡胴の指標環を拡大して示した図。
【図４】レンズ鏡胴に駆動ユニットを装着した状態において指標環の位置で光軸に垂直する方向に切断したときの駆動ユニットの筐体の当接部近傍を拡大して示した要部拡大断面図。
【図５】レンズ鏡胴に駆動ユニットを装着した状態において駆動ユニットの筐体の当接部近傍を拡大して示した要部拡大斜視図。
【発明を実施するための形態】
【００２３】
以下、添付図面を参照して、本発明に係るレンズ装置を実施するための形態について詳細に説明する。
【００２４】
図１は、本発明が適用されたレンズ装置の全体を示した斜視図である。同図のレンズ装置１０は、主に取材などで携帯される放送用又は業務用のテレビカメラ（ビデオカメラ）のレンズ装置であり、レンズ鏡胴１２と、レンズ鏡胴１２の側部に設置された駆動ユニット１４を備えている。
【００２５】
レンズ鏡胴１２は、後端部にバヨネット方式のマウント部２０を有しており、このマウント部２０を撮像素子等を備えたカメラ本体（図示せず）のマウント部に係合させることにより、レンズ鏡胴１２がカメラ本体に装着されてテレビカメラが構成されるようになっている。
【００２６】
レンズ鏡胴１２の内部には、周知のように被写体像を結像するための光学系を構成するレンズや絞りが収容されており、レンズとして、レンズ鏡胴１２の各種構成部材を支持する鏡胴本体に対して固定されたレンズの他に、光軸方向に移動可能に支持されたフォーカスレンズ群や変倍レンズ群が配置されている。
【００２７】
レンズ鏡胴１２（鏡胴本体）の外周部には、鏡胴本体に対して回動可能な複数の操作リングが設けられており、その操作リングとして前方側（対物側）からフォーカスレンズ群に連結されたフォーカスリング２２、変倍レンズ群に連結されたズームリング２４、絞りに連結されたアイリスリング２６が配置されている。フォーカスリング２２が回動すると、これと連動してフォーカスレンズ群が光軸方向に移動して光学系全体としての焦点位置（ピントが合う被写体距離）が変化し、ズームリング２４が回動すると、これと連動してズームレンズ群が光軸方向に移動して光学系全体としての焦点距離が変化し、アイリスリングが回動すると、これと連動して絞りが開閉動作して光学系全体としての絞り値が変化するようになっている。フォーカスリング２２、ズームリング２４、アイリスリング２６の各々の外周面には、駆動ユニット１４のギアと噛合するギア歯２２Ａ、２４Ａ、２６Ａが形成されている。
【００２８】
また、レンズ鏡胴１２の外周部には、鏡胴本体に対して固定された第１固定環２８及び第２固定環３０が設けられている。第１固定環２８は、フォーカスリング２２とズームリング２４との間に配置され、鏡胴本体と一体形成されている。
【００２９】
第２固定環３０は、ズームリング２４とアイリスリング２６との間に配置され、鏡胴本体とは別体の部材で形成されている。アイリスリング２６には、絞り値に関する目盛りが記されており、第２固定環３０には、アイリスリング２６の目盛りに対して読み取り位置を指し示す指標（指標マーク）３２が記されている。
【００３０】
尚、第２固定環３０を指標環３０と称す。鏡胴本体が金属（例えばアルミニウム）を材料として形成されているのに対して、この指標環３０は、コスト低減等のためにプラスチック（合成樹脂）を材料として形成されている。また、本明細書において、鏡胴本体とは、レンズ鏡胴１２の各種構成部材を支持し、レンズ鏡胴１２の骨格となる部材を示す。
【００３１】
レンズ鏡胴１２の側部に設置される駆動ユニット１４は、金属の筐体４０によって全体が覆われている。筐体４０は、別体の第１枠４２と第２枠４４とで構成されており、第１枠４２の周縁部と第２枠の周縁部が当接した状態で第１枠４２と第２枠４４とがネジ等で固定されることによって筐体４０が構成されている。
【００３２】
筐体４０の内部には、モータ、ポテンショメータ、ギアなどの動力の伝達に関連する機構部材が収容されており、それらは主として第１枠４２に設置されている。
【００３３】
また、第１枠４２には、詳細を後述するようにレンズ鏡胴１２への固定構造として、レンズ鏡胴１２の第１固定環２８と、指標環（第２固定環）３０に対向した位置において、第１固定環２８と指標環３２の各々の外周面（円筒面）に略沿ったＲ形状を基調する第１固定部５０と第２固定部５２とが形成されている。そして、それらの第１固定部５０と第２固定部５２の上端部と下端部がネジ５４、５５（及び図示しない下端部のネジ）により、第１固定環２８と、指標環３２の位置でレンズ鏡胴１２に固定されるようになっている。
【００３４】
第２枠４４には、図１では、隠れた面側（第１枠４２が固定される側と反対の外側の面）に撮影者が駆動ユニットを把持するグリップ部５６が形成されると共に、上面等に各種操作部材が設けられている。操作部材として、ズーム操作を行うためのズームシーソースイッチ５８や、絞り制御をマニュアルとオートとで切り替えるための切替スイッチ６０が設けられている。
【００３５】
図２は、駆動ユニット１４の筐体４０（第１枠４２）においてレンズ鏡胴１２に設置される側の面に構成される設置部の構造を、駆動ユニット１４をレンズ鏡胴１２から取り外した状態で示した斜視図である。
【００３６】
同図のように駆動ユニット１４の設置部７０は、レンズ鏡胴１２の外周形状に対応して円筒面に沿った凹曲面の設置面７２を有する。即ち、レンズ鏡胴１２の外周部に設けられる各操作リング２２〜２６や固定環２８、３０等は、光学系の光軸（レンズ鏡胴１２の中心軸）を中心軸とする円筒面を外面形状の基調としており、駆動ユニット１４をレンズ鏡胴１２に設置した状態において、設置面７２は光学系の光軸を中心軸とした円筒面（の一部）に沿った形状を基調とし、かつ、レンズ鏡胴１２のいずれの部材とも所定の隙間を有して接触しない大きさ径寸法を有する円筒面（同一径に限らない）に沿った形状を有している。
【００３７】
その設置部７０の設置面７２には、開口７２Ａ、７２Ｂ、７２Ｃが形成されており、それらの開口７２Ａ、７２Ｂ、７２Ｃからギア７４、７６、７８、８０の一部が設置面７２よりも外部に突出した状態で筐体４０（第１枠４２）に支持されている。駆動ユニット１４をレンズ鏡胴１２に設置した状態において、ギア７４はフォーカスリング２２のギア歯２２Ａに噛合し、ギア７６、７８はズームリング２４のギア歯２４Ａに噛合し、ギア８０はアイリスリング２６のギア歯２６Ａに噛合する。
【００３８】
一方、駆動ユニット１４の筐体４０内において、ギア７４はフォーカス用のポテンショメータに連結され、ギア７６はズーム用のポテンショメータに連結され、ギア７８はズーム用のモータに連結され、ギア８０はアイリス用のモータとポテンショメータの両方に連結されている。
【００３９】
従って、レンズ鏡胴１２のフォーカスレンズ群、ズームレンズ群、絞りの各々の現在の設定位置が、駆動ユニット１４の筐体４０内のポテンショメータにより検出されると共に、ズームレンズ群、絞りが駆動ユニット１４の筐体４０内のモータによって駆動されるようになっている。尚、本実施の形態の駆動ユニット１４は、フォーカスリング２２（フォーカスレンズ群）を駆動するモータを有していないタイプを示しているが、駆動ユニット１４がフォーカスリング２２を駆動するためのモータやギアを備えたものであっても本発明は適用できる。
【００４０】
また、駆動ユニット１４の筐体４０（第１枠４２）の設置面７２には、上記のようにレンズ鏡胴１２の第１固定環２８と、指標環（第２固定環）３０に対向した位置に第１固定部５０と第２固定部５２が形成されている。
【００４１】
第１固定部５０及び第２固定部５２には、各々、円筒面状の設置面７２に対して所定の高さの２つずつのリブ５０Ａ、５０Ｂ、５２Ａ、５２Ｂが周方向に形成されると共に、第１固定部５０の２カ所にリブ５０Ａ、５０Ｂよりも隆起（突出）した矩形状の当接部９０、９２が形成されている。第２固定部５２には３カ所にリブ５２Ａ、５２Ｂよりも隆起した矩形状の当接部９４、９６、９８が形成されている。
【００４２】
第１固定部５０の当接部９０、９２は、駆動ユニット１４をレンズ鏡胴１２に設置した状態において、レンズ鏡胴１２の第１固定環２８の外周面に面全体で当接する当接面９０Ａ、９２Ａを有しており、その当接面９０Ａ、９２Ａが第１固定環２８と同一の円筒面に沿った形状で形成されている。
【００４３】
第２固定部５２の当接部９４、９６、９８は、駆動ユニット１４をレンズ鏡胴１２に設置した状態において、レンズ鏡胴１２の指標環３０の外周面ではなく、その指標環３０の内側に配置されている鏡胴本体（又は鏡胴本体に固定された部材）の円筒面に面全体で当接する当接面９４Ａ、９６Ａ、９８Ａを有しており、当接部９４、９６、９８は、指標環３０の内側の鏡胴本体まで到達する高さまで隆起されると共に、当接面９４Ａ、９６Ａ、９８Ａがその鏡胴本体と同一の円筒面に沿った形状で形成されている。
【００４４】
図３は、駆動ユニット１４を取り外した状態でのレンズ鏡胴１２の指標環３０を拡大して示した図である。同図に示すように指標環３０には、駆動ユニット１４の第２固定部５２の当接部９４、９６、９８に対向する位置に、内側の鏡胴本体１００まで貫通する矩形状の孔３０Ａ、３０Ｂ、３０Ｃが形成されている。従って、駆動ユニット１４をレンズ鏡胴１２に設置した状態では、駆動ユニット１４の当接部９４、９６、９８が指標環３０の孔３０Ａ、３０Ｂ、３０Ｃに嵌入された状態になると共に、当接部９４、９６、９８の当接面９４Ａ、９６Ａ、９８Ａが指標環３０の内側の鏡胴本体１００の外周面に面全体で当接した状態となる。
【００４５】
また、図２に示すように駆動ユニット１４の筐体４０において、第１固定部５０の当接部９０と、第２固定部５２の当接部９４、９８の位置には、ネジを挿通するネジ挿通孔５０Ｃ、５２Ｃ、５２Ｄが形成される。一方、図３に示すようにレンズ鏡胴１２の第１固定環２８と、指標環３０の内側の鏡胴本体１００において、駆動ユニット１４の筐体４０のネジ挿通孔５０Ｃ、５２Ｃ、５２Ｄに対向する位置に、ネジと螺合するネジ穴２８Ａ、１００Ａ、１００Ｂが形成されている。
【００４６】
従って、駆動ユニット１４をレンズ鏡胴１２に設置する際に、駆動ユニット１４の筐体４０における第１固定部５０のネジ挿通孔５０Ｃをレンズ鏡胴１２のネジ穴２８Ａの位置に合わせると共に、駆動ユニット１４の筐体４０における第２固定部５２のネジ挿通孔５２Ｃ、５２Ｄをレンズ鏡胴１２のネジ穴１００Ａ、１００Ｂの位置に合わせ、図１のようにネジ挿通孔５０Ｃ、５２Ｃ、５２Ｄの各々にネジ５４、５５（ネジ挿通孔５２Ｄのネジは不図示）を挿通させてネジ穴２８Ａ、１００Ａ、１００Ｂに締め込むことにより、駆動ユニット１４がレンズ鏡胴１２に固定されるようになっている。
【００４７】
このとき、上述したように第１固定部５０の当接部９０、９２の当接面９０Ａ、９２Ａが、第１固定環２８の外周面に当接し、第２固定部５２の当接部９４、９６、９８の当接面９４Ａ、９６Ａ、９８Ａが、指標環３０の内側の鏡胴本体１００の外周面に当接した状態で固定される。図４は、駆動ユニット１４をレンズ鏡胴１２に設置した状態において、レンズ鏡胴１２の指標環３０の孔３０Ａの位置おける光軸に直交する断面を示した断面図であり、図５は、その位置を拡大して示した斜視図である。図４に示すように、駆動ユニット１４をレンズ鏡胴１２に設置した状態では、レンズ鏡胴１２の指標環３０の孔３０Ａに、駆動ユニット１４の第２固定部５２の当接部９４が嵌入され、当接部９４のネジ挿通孔５２Ｃにネジ５５が挿通されて鏡胴本体１００のネジ穴１００Ａに螺合される。そして、当接部９４の当接面９４Ａが鏡胴本体１００の外周面に当接した状態となる。このように第２固定部５２の当接部９４、９６、９８の当接面９４Ａ、９６Ａ、９８Ａが、指標環３０の内側の鏡胴本体１００の外周面に当接した状態で固定されることによって、レンズ鏡胴１２に対して駆動ユニット１４が設計位置に対して高い位置精度で固定され、筐体４０の各ギア７４，７６、７８、８０の各々がレンズ鏡胴１２のフォーカスリング２２、ズームリング２４、アイリスリング２６のギア歯２２Ａ、２４Ａ、２６Ａに対して設計で決められた位置に正確に設置される。従って、各ギア７４，７６、７８、８０と各ギア歯２２Ａ、２４Ａ、２６Ａが適切な状態で噛み合わされるようになる。
【００４８】
また、図５に示すように駆動ユニット１４をレンズ鏡胴１２に設置した状態では、指標環３０に孔３０Ａを形成したことや、第２固定部５２に当接部９４を突設したことが分からないため、従来と外観上に変わりはなく、美観を損ねることもない。
【００４９】
以上、上記実施の形態では、指標環３０がプラスチックにより形成されているものとしたが、例えば、鏡胴本体と同様に金属（例えばアルミニウム）で形成されている場合であっても、上記実施の形態と同様に、指標環３０に孔を形成して駆動ユニット１４の筐体４０の当接部９４、９６，９８を鏡胴本体に直接当接させた状態で固定することによって駆動ユニット１４の設置位置の精度を向上させることができる。
【００５０】
また、上記実施の形態では、駆動ユニット１４の筐体４０において第１固定部５０に２カ所の当接部９０、９２、第２固定部５２に３カ所の当接部９４、９６、９８を形成したが、これらの数はこれに限らない。また、レンズ鏡胴１２の第１固定環２８と指標環３０の位置において筐体４０をネジ止めする箇所と数も上記実施の形態の場合に限らない。
【符号の説明】
【００５１】
１０…レンズ装置、１２…レンズ鏡胴、１４…駆動ユニット、２０…マウント部、２２…フォーカスリング、２４…ズームリング、２６…アイリスリング、２２Ａ、２４Ａ、２６Ａ…ギア歯、２８…第１固定環、３０…第２固定環（指標環）、３０Ａ、３０Ｂ、３０Ｃ…孔、３２…指標、４０…筐体、４２…第１枠、４４…第２枠、５０…第１固定部、５２…第２固定部、５６…グリップ部、５８…ズームシーソースイッチ、６０…切替スイッチ、７０…設置部、７２…設置面、７２Ａ〜７２Ｃ…開口、７４、７６、７８、８０…ギア、９０、９２、９４、９６、９８…当接部、９０Ａ、９２Ａ、９４Ａ、９６Ａ、９８Ａ…当接面、１００…鏡胴本体、５０Ｃ、５２Ｃ、５２Ｄ…ネジ挿通孔、２８Ａ、１００Ａ、１００Ｂ…ネジ穴
【図１】
2011107270.tif 000003
【図２】
2011107270.tif 000004
【図３】
2011107270.tif 000005
【図４】
2011107270.tif 000006
【図５】
2011107270.tif 000007